【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
線形電極構造の中心軸に沿う方向にイオンの運動エネルギーを増加させる方法であって、前記電極構造が、第１の端部領域と、前記中心軸に沿って前記第１の端部領域から離間された第２の端部領域と、前記第１および第２の端部領域の間に軸方向に介在する中央領域とを備え、イオンが配置される内部空間を規定し、前記内部空間が、前記中心軸に沿って前記第１の端部領域、前記中央領域、および前記第２の端部領域に渡って延びており、前記方法が、
前記イオンの軸方向運動を、実質的に、前記第１および第２の端部領域のうちの選択された一方に制約する工程と、
前記イオンを駆動して、前記選択された端部領域から他方の端部領域に向けて軸方向に移動させ、そして、前記選択された端部領域に向けて逆反射させる工程であって、前記イオンに与えられる運動エネルギーの量を最大にする電界が、当該イオンが前記選択された端部領域から前記他方の端部領域へと駆動される間に、当該イオンに印加される工程とを含む方法。
【請求項２】
制約する工程の前に、前記第１の端部領域を介して前記内部空間に前記イオンを導入することを含む請求項１の方法。
【請求項３】
制約する工程の前に、前記第２の端部領域を介して前記内部空間に前記イオンを導入することを含む請求項１の方法。
【請求項４】
前記イオン運動エネルギーが１倍より大きく増加するように、前記制約する工程および前記駆動する工程を１回以上繰り返すことを含み、各制約する工程において、制約のために選択された前記端部領域が、前記第１の端部領域または前記第２の端部領域である請求項１ないし３のいずれか１項の方法。
【請求項５】
制約する工程が、前記第１の端部領域、および前記中央領域、前記第２の端部領域に、複数のＤＣ電圧をそれぞれの大きさで印加して、前記選択された端部領域に軸方向電位ウェルを生成することを含み、駆動する工程が、前記選択された端部領域に印加される前記ＤＣ電圧を調整することを含む請求項１ないし４のいずれか１項の方法。
【請求項６】
前記電極構造が、前記中心軸に沿って前記選択された端部領域から離間された導電部材を備え、前記選択された端部領域が、前記中央領域と前記導電部材との間に軸方向に介在し、制約する工程が、付加ＤＣ電圧を前記導電部材に印加することを更に含み、駆動する工程が、前記付加ＤＣ電圧を調整することを更に含む請求項５の方法。
【請求項７】
駆動する工程の後、前記第１の端部領域、前記中央領域、および前記第２の端部領域に印加される前記複数のＤＣ電圧のうちの１以上を調整して、前記第１および第２の端部領域のうちの選択された一方に軸方向電位ウェルを生成することによって、前記イオンの軸方向運動を実質的に前記選択された端部領域に制約することと、
前記選択された端部領域に印加される前記ＤＣ電圧を、前記制約する工程において印加される電圧値よりも大きな絶対値を有する大きさに調整することによって、前記イオンを駆動して、前記選択された端部領域から他方の端部領域に向けて軸方向に移動させ、そして、前記選択された端部領域に向けて逆反射させることとを含む請求項５または６の方法。
【請求項８】
前記制約する工程および前記駆動する工程を１回以上繰り返すことを含み、各制約する工程において、制約のために選択された前記端部領域が、前記第１の端部領域または前記第２の端部領域である請求項７の方法。
【請求項９】
前記イオンが、所望のイオンであり、前記方法が、制約する工程の前に、前記所望のイオンのｍ／ｚ比とは異なる１種以上のｍ／ｚ比を有する１以上の他のイオンを前記内部空間から排出することによって、前記内部空間において、前記所望のイオンを分離することを更に含む請求項１ないし８のいずれか１項の方法。
【請求項１０】
駆動する一方で、前記内部空間にガスを供給することによって、前記イオンを解離し、１以上のプロダクトイオンを生成することを含む請求項１ないし９のいずれか１項の方法。
【請求項１１】
前記プロダクトイオンのうちの少なくとも１つを、前記中心軸に直交する方向に沿って前記内部空間から排出することを含む請求項１０の方法。
【請求項１２】
前記プロダクトイオンのうちの少なくとも１つが、所望のイオンであり、前記方法が、前記所望のイオンのｍ／ｚ比とは異なる１種以上のｍ／ｚ比を有する他のイオンを前記内部空間から排出することによって、前記内部空間において前記所望のイオンを分離することを更に含む請求項１０または１１の方法。
【請求項１３】
前記所望のイオンが、第１世代のプロダクトイオンであり、前記方法が、１以上の継次世代のプロダクトイオンに対して、前記制約する工程、前記駆動する工程、前記解離する工程、および前記分離する工程を１回以上繰り返し、第ｎ世代のプロダクトイオンを得ることを更に含む請求項１２の方法。
【請求項１４】
制約する工程が、前記第１の端部領域、前記中央領域、および前記第２の端部領域に、複数のＤＣ電圧をそれぞれの大きさで印加して、前記選択された端部領域に軸方向電位ウェルを生成することを含み、駆動する工程が、前記選択された端部領域に印加される前記ＤＣ電圧を調整することを含み、前記方法が、
分離する工程の後、前記第１の端部領域、前記中央領域、および前記第２の端部領域に印加される前記複数のＤＣ電圧のうちの１つ以上を調整して、前記第１および第２の端部領域のうちの選択された一方に軸方向電位ウェルを生成することによって、前記所望のイオンの軸方向運動を実質的に前記選択された端部領域に制約することと、
前記選択された端部領域に印加される前記ＤＣ電圧を、前記制約する工程において印加される電圧値よりも大きな絶対値を有する大きさに調整することによって、前記所望のイオンを駆動して、前記選択された端部領域から他方の端部領域に向けて軸方向に移動させ、そして、前記選択された端部領域に向けて逆反射させることとを更に含む請求項１２または１３の方法。
【請求項１５】
前記制約する工程および前記駆動する工程を１回以上繰り返すことを含み、各制約する工程において、制約のために選択された前記端部領域が、前記第１の端部領域または前記第２の端部領域である請求項１４の方法。
【請求項１６】
線形イオントラップにおいて前駆イオンを解離する方法であって、前記線形イオントラップが、第１の端部領域と、前記線形イオントラップの長軸に沿って前記第１の端部領域から離間された第２の端部領域と、前記第１および第２の端部領域の間に介在する中央領域と、各領域に前記長軸を中心として同軸に配置され、前記線形イオントラップの長尺体積を規定する複数の電極とを備えており、前記方法が、
内部空間の複数のイオンを、実質的に、前記第１および第２の端部領域のうちの選択された一方に蓄積する工程であって、前記複数のイオンが、１以上の前駆イオンを含むものである工程と、
前記複数のイオンを駆動して、前記選択された端部領域から他方の端部領域に向けて軸方向に移動させ、そして、前記選択された端部領域に向けて逆反射させる工程であって、少なくとも１つの前駆イオンを軸方向に加速させ、前記内部空間において当該少なくとも１つの前駆イオンとガスとを衝突させることによって、当該少なくとも１つの前駆イオンを解離する工程とを含む方法。
【請求項１７】
蓄積する工程が、前記第１の端部領域、前記中央領域、および前記第２の端部領域に、複数のＤＣ電圧をそれぞれの大きさで印加して、前記選択された端部領域に軸方向電位ウェルを生成することを含み、駆動する工程が、前記選択された端部領域に印加される前記ＤＣ電圧を調整することを含む請求項１６の方法。
【請求項１８】
蓄積する工程および駆動する工程の後、前記蓄積する工程、および駆動する工程を１回以上繰り返すことを含み、各蓄積する工程において、蓄積のために選択された前記端部領域が、前記第１の端部領域または前記第２の端部領域である請求項１６または１７の方法。
【請求項１９】
駆動する工程は、１以上のプロダクトイオンを生成し、前記方法が、
前記１以上のプロダクトイオンを実質的に前記第１および第２の端部領域のうちの選択された一方に蓄積する工程であって、前記１以上のプロダクトイオンを蓄積するために選択された前記端部領域が、前記第１の端部領域または前記第２の端部領域である工程と、
前記１以上のプロダクトイオンを駆動して、前記選択された端部領域から他方の端部領域に向けて軸方向に移動させ、そして、前記選択された端部領域に向けて逆反射させて、前記プロダクトイオンのうちの少なくとも１つと前記ガスとを衝突させる工程とを更に含む請求項１６ないし１８のいずれか１項の方法。
【請求項２０】
第ｎ世代のプロダクトイオンを得るために、１以上の継次世代のプロダクトイオンに対して前記蓄積する工程および前記駆動する工程を１回以上繰り返すことを含み、各蓄積する工程において、蓄積のために選択される前記端部領域が、前記第１の端部領域または前記第２の端部領域である請求項１９の方法。
【請求項２１】
軸方向に沿ってイオンの運動エネルギーを増加させる装置であって、
第１の端部領域と、中心軸に沿って前記第１の端部領域から離間された第２の端部領域と、前記第１および第２の端部領域の間に軸方向に介在する中央領域とを備え、前記中心軸に沿って前記第１の端部領域、前記中央領域、および前記第２の端部領域に渡って延びる内部空間を規定する線形電極構造と、
前記内部空間における１以上のイオンの軸方向運動を実質的に前記第１および第２の端部領域のうちの選択された一方に制約する手段と、
前記１以上のイオンを駆動して、前記選択された端部領域から他方の端部領域に向けて軸方向に移動させ、そして、前記選択された端部領域に向けて逆反射させる手段であって、前記イオンに与えられる運動エネルギーの量を最大にする電界を、当該イオンが前記選択された端部領域から前記他方の端部領域へと駆動される間に、当該イオンに印加する手段とを備えた装置。
【請求項２２】
前記制約する手段が、前記第１の端部領域、前記中央領域、および前記第２の端部領域に、複数のＤＣ電圧をそれぞれの大きさで印加して、前記選択された端部領域に軸方向電位ウェルを生成する手段を含み、前記駆動する手段が、前記選択された端部領域に印加される前記ＤＣ電圧を調整する手段を含む請求項２１の装置。
【手続補正２】
【補正対象書類名】明細書
【補正対象項目名】０００８
【補正方法】変更
【補正の内容】
【０００８】
当業者により認識されてきた上記の問題および／またはその他の問題の全部または一部に対処するために、本開示は、以下の実施形態において例示的に説明されている方法、プロセス、システム、装置、機器および／または素子を提供する。
ある局面によれば、線形電極構造の中心軸に沿う方向にイオンの運動エネルギーを増加させる方法を提供する。前記電極構造は、第１の端部領域と、前記中心軸に沿って前記第１の端部領域から離間された第２の端部領域と、前記第１および第２の端部領域の間に軸方向に介在する中央領域とを備えている。前記電極構造は、イオンが配置される内部空間を規定し、前記内部空間は、前記中心軸に沿って前記第１の端部領域、前記中央領域、および前記第２の端部領域に渡って延びている。この方法によれば、イオンの軸方向運動は、実質的に、前記第１および第２の端部領域のうちの選択された一方に制約される。イオンは、駆動されて、前記選択された端部領域から他方の端部領域に向けて軸方向に移動し、そして、前記選択された端部領域に向かって逆反射される。これは、イオンに与えられる運動エネルギーの量を最大にする電界が、当該イオンが前記選択された端部領域から前記他方の端部領域へと駆動される間に、当該イオンに印加されることによって行われる。
【手続補正３】
【補正対象書類名】明細書
【補正対象項目名】００１０
【補正方法】変更
【補正の内容】
【００１０】
他の局面によれば、線形イオントラップにおいて前駆イオンを解離する方法を提供する。前記線形イオントラップは、第１の端部領域と、前記線形トラップの長軸に沿って前記第１の端部領域から離間された第２の端部領域と、前記第１および第２の端部領域の間に介在する中央領域とを備えている。また、前記線形イオントラップは、各領域に複数の電極を備えており、前記電極は、前記長軸を中心として同軸に配置されており、前記線形イオントラップの長尺体積を規定する。この方法によれば、内部空間の複数のイオンが、実質的に、前記第１および第２の端部領域のうちの選択された一方に蓄積される。前記複数のイオンは、１以上の前駆イオンを含む。前記複数のイオンは、駆動されて、前記選択された端部領域から他方の端部領域に向かって軸方向に移動し、そして、前記選択された端部領域に向かって逆反射される。この際、少なくとも１つの前駆イオンは、軸方向に加速され、前記内部空間において前記イオンのうちの少なくとも１つとガスとの間の衝突が起こる。これにより、当該少なくとも１つの前駆イオンは解離する。
【手続補正４】
【補正対象書類名】明細書
【補正対象項目名】００１１
【補正方法】変更
【補正の内容】
【００１１】
他の局面によれば、前記蓄積する工程および前記駆動する工程は、第ｎ世代のプロダクトイオンを得るために、１以上の継次世代のプロダクトイオンに対して１回以上繰り返される。各蓄積において、蓄積のために選択される端部領域は、前記第１の端部領域または前記第２の端部領域である。
他の局面によれば、軸方向に沿ってイオンの運動エネルギーを増加させる装置を提供する。前記装置は、第１の端部領域と、中心軸に沿って前記第１の端部領域から離間された第２の端部領域と、前記第１および第２の端部領域の間に軸方向に介在する中央領域とを備えた線形電極構造を備えている。前記線形電極構造は、前記中心軸に沿って前記第１の端部領域、前記中央領域、および前記第２の端部領域に渡って延びる内部空間を規定している。また、前記装置は、前記内部空間における１以上のイオンの軸方向運動を実質的に前記第１および第２の端部領域のうちの選択された一方に制約する手段と、１以上のイオンを駆動して、前記選択された端部領域から他方の端部領域に向けて軸方向に移動させ、そして、前記選択された端部領域に向けて逆反射させる手段であって、前記イオンに与えられる運動エネルギーの量を最大にする電界を、当該イオンが前記選択された端部領域から前記他方の端部領域へと駆動される間に、当該イオンに印加する手段とを備えている。